【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】
遊技領域を含む遊技盤が設けられ、遊技者の操作に応じて遊技が行われる遊技機であって、
遊技球を払い出す球払出装置と、
前記球払出装置により払い出し可能な遊技球が所定量以上あるか否かを検出する遊技球検出手段と、
遊技の進行を制御する遊技制御用マイクロコンピュータと、
前記遊技制御用マイクロコンピュータから送出される賞球個数指定を含む制御コマンドの受信に応じて前記球払出装置から遊技球を払い出させる払出制御を行う払出制御用マイクロコンピュータと、
前記遊技制御用マイクロコンピュータから送出される制御コマンドの受信に応じて遊技機に設けられている複数の発光体の点灯制御を行う発光体制御用マイクロコンピュータとを備え、
前記複数の発光体は、球払出装置により払い出し可能な遊技球が所定量以上ないときに点灯する球切れ発光体を含み、
前記遊技球検出手段の検出信号は前記遊技制御用マイクロコンピュータに入力され、
前記遊技制御用マイクロコンピュータは、前記払出制御用マイクロコンピュータに対して制御コマンドをパラレル通信で送出する通信手段を備え、
前記通信手段は、
前記制御コマンドの上位ビット群と下位ビット群とのうちの一方を動作モード指定用とし、他方を賞球個数指定用として前記払出制御用マイクロコンピュータに送出し、
前記遊技球検出手段からの検出信号が、前記球払出装置により払い出し可能な遊技球が所定量以上ないことを示す球切れ状態になったときに、前記動作モード指定用のビット群に前記球払出装置による遊技球の払い出しを禁止することを指定するデータを設定した制御コマンドを前記払出制御用マイクロコンピュータに送出し、
前記遊技球検出手段からの検出信号が、前記球払出装置により払い出し可能な遊技球が所定量以上あることを示す状態になったときに、前記動作モード指定用のビット群に前記球払出装置による遊技球の払い出しの禁止を解除することを指定するデータを設定した制御コマンドを前記払出制御用マイクロコンピュータに送出し、
前記遊技制御用マイクロコンピュータは、前記球切れ状態になったときに、前記球切れ発光体を点灯させることを指示する制御コマンドを前記発光体制御用マイクロコンピュータに送出し、
前記発光体制御用マイクロコンピュータは、前記球切れ発光体を点灯させることを指示する制御コマンドの受信に応じて前記球切れ発光体を点灯させる
ことを特徴とする遊技機。
【請求項２】
球払出装置から払い出された遊技球を検出する払出検出手段を備え、
前記払出検出手段の検出信号は遊技制御用マイクロコンピュータと払出制御用マイクロコンピュータとに入力され、
前記遊技制御用マイクロコンピュータは、賞球払出条件の成立に応じて賞球個数指定を含む制御コマンドを前記払出制御用マイクロコンピュータに送出し、前記払出検出手段の検出信号をカウントし、カウント結果が賞球個数指定を含む制御コマンドで指示した賞球個数に一致したら、次の賞球払出条件の成立に応じて賞球個数指定を含む制御コマンドを前記払出制御用マイクロコンピュータに送出し、
前記払出制御用マイクロコンピュータは、賞球個数指定を含む制御コマンドの受信に応じて前記球払出装置の動作を開始させ、前記払出検出手段の検出信号をカウントし、カウント結果が賞球個数指定を含む制御コマンドで指示された賞球個数に一致したら、前記遊技制御用マイクロコンピュータからの賞球個数指定を含む制御コマンドで指示された賞球個数の遊技球の払い出しが完了したと判定し、前記球払出装置の動作を停止させる
請求項１記載の遊技機。
【請求項３】
遊技制御用マイクロコンピュータは、動作モード指定用のビット群に球払出装置による遊技球の払い出しを禁止することを指定するデータを設定した制御コマンドを払出制御用マイクロコンピュータに送出するとき、および前記動作モード指定用のビット群に前記球払出装置による遊技球の払い出しの禁止を解除することを指定するデータを設定した制御コマンドを前記払出制御用マイクロコンピュータに送出するときに、賞球個数指定用のビット群に所定の固定値データを設定する
請求項１または請求項２記載の遊技機。
【手続補正２】
【補正対象書類名】明細書
【補正対象項目名】００１０
【補正方法】変更
【補正の内容】
【００１０】
【課題を解決するための手段】
本発明による遊技機は、遊技者の操作に応じて遊技が行われる遊技機であって、遊技球を払い出す球払出装置と、球払出装置により払い出し可能な遊技球が所定量以上あるか否かを検出する遊技球検出手段と、遊技の進行を制御する遊技制御用マイクロコンピュータと、遊技制御用マイクロコンピュータから送出される賞球個数指定を含む制御コマンドの受信に応じて球払出装置から遊技球を払い出させる払出制御を行う払出制御用マイクロコンピュータと、遊技制御用マイクロコンピュータから送出される制御コマンドの受信に応じて遊技機に設けられている複数の発光体の点灯制御を行う発光体制御用マイクロコンピュータとを備え、複数の発光体は、球払出装置により払い出し可能な遊技球が所定量以上ないときに点灯する球切れ発光体を含み、遊技球検出手段の検出信号は遊技制御用マイクロコンピュータに入力され、遊技制御用マイクロコンピュータは、払出制御用マイクロコンピュータに対して制御コマンドをパラレル通信で送出する通信手段を備え、通信手段は、制御コマンドの上位ビット群と下位ビット群とのうちの一方を動作モード指定用とし、他方を賞球個数指定用として払出制御用マイクロコンピュータに送出し、遊技球検出手段からの検出信号が球払出装置により払い出し可能な遊技球が所定量以上ないことを示す球切れ状態になったときに、動作モード指定用のビット群に球払出装置による遊技球の払い出しを禁止することを指定するデータを設定した制御コマンドを払出制御用マイクロコンピュータに送出し、遊技球検出手段からの検出信号が球払出装置により払い出し可能な遊技球が所定量以上あることを示す状態になったときに、動作モード指定用のビット群に球払出装置による遊技球の払い出しの禁止を解除することを指定するデータを設定した制御コマンドを払出制御用マイクロコンピュータに送出し、遊技制御用マイクロコンピュータは、球切れ状態になったときに球切れ発光体を点灯させることを指示する制御コマンドを発光体制御用マイクロコンピュータに送出し、発光体制御用マイクロコンピュータは、球切れ発光体を点灯させることを指示する制御コマンドの受信に応じて球切れ発光体を点灯させるように構成されたものである。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
球払出装置から払い出された遊技球を検出する払出検出手段を備え、払出検出手段の検出信号は遊技制御用マイクロコンピュータと払出制御用マイクロコンピュータとに入力され、遊技制御用マイクロコンピュータは、賞球払出条件の成立に応じて賞球個数指定を含む制御コマンドを払出制御用マイクロコンピュータに送出し、払出検出手段の検出信号をカウントし、カウント結果が賞球個数指定を含む制御コマンドで指示した賞球個数に一致したら、次の賞球払出条件の成立に応じて賞球個数指定を含む制御コマンドを払出制御用マイクロコンピュータに送出し、払出制御用マイクロコンピュータは、賞球個数指定を含む制御コマンドの受信に応じて球払出装置の動作を開始させ、払出検出手段の検出信号をカウントし、カウント結果が賞球個数指定を含む制御コマンドで指示された賞球個数に一致したら、遊技制御用マイクロコンピュータからの賞球個数指定を含む制御コマンドで指示された賞球個数の遊技球の払い出しが完了したと判定し、球払出装置の動作を停止させるように構成されていてもよい。
また、遊技制御用マイクロコンピュータは、動作モード指定用のビット群に球払出装置による遊技球の払い出しを禁止することを指定するデータを設定した制御コマンドを払出制御用マイクロコンピュータに送出するとき、および動作モード指定用のビット群に球払出装置による遊技球の払い出しの禁止を解除することを指定するデータを設定した制御コマンドを払出制御用マイクロコンピュータに送出するときに、賞球個数指定用のビット群に所定の固定値データを設定するように構成されていてもよい。
【手続補正６】
【補正対象書類名】明細書
【補正対象項目名】０１４３
【補正方法】変更
【補正の内容】
【０１４３】
図３３は、賞球制御コマンドのビット構成を示す説明図である。図３３に示すように、１バイト中のビット７はＩＮＴ信号として使用される。また、ビット０〜ビット６の７ビットが、賞球制御コマンドデータ部分として使用される。そして、ビット０〜ビット６のうちの上位３ビットは制御指定として使用される。すなわち、ビット６，５，４が「０，０，０」であれば通常払出指定（賞球個数出力）を示し、「０，０，１」であれば補正払出指定を示し、「０，１，０」であれば球貸し禁止指定を示し、「１，１，１」であれば球貸し禁止指定解除を示す。なお、球貸し禁止指定は、余剰玉受皿４が満タンになって満タンスイッチ４０２がオンしたとき、および球切れ検出スイッチ１６７または球切れスイッチ１８７がオンしたときに、主基板３１の基本回路５３から送信される。そして、それらのスイッチがオフ状態になると、球貸し禁止指定解除が送信される。
【手続補正７】
【補正対象書類名】明細書
【補正対象項目名】０２０７
【補正方法】変更
【補正の内容】
【０２０７】
【発明の効果】
以上のように、本発明によれば、遊技機を、遊技制御用マイクロコンピュータが払出制御用マイクロコンピュータに対して制御コマンドをパラレル通信で送出し、制御コマンドにおける上位ビット群と下位ビット群とのうちの一方が動作モード指定用に使用され他方が賞球個数指定用に使用されるように構成したので、遊技制御用マイクロコンピュータから払出制御用マイクロコンピュータに送信される制御コマンドを簡素化でき、払出制御用マイクロコンピュータに対する賞球個数通知等にかける制御負荷を軽くすることができる効果がある。また、遊技球検出手段の検出信号は遊技制御用マイクロコンピュータに入力され、遊技球検出手段からの検出信号が球切れ状態になったときに動作モード指定用のビット群に球払出装置による遊技球の払い出しを禁止することを指定するデータを設定した制御コマンドを払出制御用マイクロコンピュータに送出し、遊技球検出手段からの検出信号が球払出装置により払い出し可能な遊技球が所定量以上あることを示す状態になったときに動作モード指定用のビット群に球払出装置による遊技球の払い出しの禁止を解除することを指定するデータを設定した制御コマンドを払出制御用マイクロコンピュータに送出するので、遊技球を貸し出すと支障が生ずるときに、簡単な制御コマンドによって、貸し出しを禁止することができる。また、支障が解除されたときに、簡単な制御コマンドによって、貸し出しを再開することができる。
【手続補正８】
【補正対象書類名】明細書
【補正対象項目名】０２０８
【補正方法】削除
【補正の内容】
【手続補正９】
【補正対象書類名】明細書
【補正対象項目名】０２０９
【補正方法】削除
【補正の内容】
【手続補正１０】
【補正対象書類名】明細書
【補正対象項目名】０２１０
【補正方法】削除
【補正の内容】
【手続補正１１】
【補正対象書類名】明細書
【補正対象項目名】０２１１
【補正方法】削除
【補正の内容】
【手続補正１２】
【補正対象書類名】図面
【補正対象項目名】図３３
【補正方法】変更
【補正の内容】
【図３３】
2000107432.tif 000001